(57)【特許請求の範囲】
【請求項１】
車両のための直列油圧ハイブリッドシステムであって、
可変油圧容量部を有する第２油圧移動ユニットと流体連通した第１油圧移動ユニットを有する油圧回路であって、前記第１油圧移動ユニットは、内燃エンジンと駆動係合されるまたは選択的に駆動係合される、前記油圧回路と、
少なくとも１つの蓄圧器弁を介して前記油圧回路と選択的に流体連結される高圧の油圧蓄圧器および低圧の油圧蓄圧器と、
制御ユニットと、を備え、
前記制御ユニットは、
オペレータからの入力を受信し、
前記入力に基づいて、要求されるトルクおよびターゲットシステム圧力を計算し、
蓄圧器圧力を前記ターゲットシステム圧力と比較し、
前記比較の結果に基づいて、前記内燃エンジンの速度および前記蓄圧器弁の弁状態のうちの少なくとも１つを制御するよう適合され、
複数の前記油圧蓄圧器は、前記油圧回路から流体的に切り離され、前記蓄圧器圧力は、前記ターゲットシステム圧力より高く、前記制御ユニットは、前記少なくとも１つの蓄圧器弁を介して複数の前記油圧蓄圧器を前記油圧回路と流体連結するように適合され、
前記制御ユニットは、複数の前記油圧蓄圧器を前記油圧回路に流体連結するプロセスの前または間に、前記油圧回路の油圧を前記蓄圧器圧力に調節するべく、前記第２油圧移動ユニットの油圧移動量を調整するように適合される、
直列油圧ハイブリッドシステム。
【請求項２】
前記ターゲットシステム圧力は、前記要求されるトルクを提供する間、前記油圧ハイブリッドシステムの伝動効率を最大化する、
請求項１に記載の直列油圧ハイブリッドシステム。
【請求項３】
前記制御ユニットは、前記車両の移動方向、車速、およびギア選択のうちの少なくとも１つに基づいて、前記ターゲットシステム圧力を計算するように適合される、
請求項１または２に記載の直列油圧ハイブリッドシステム。
【請求項４】
前記制御ユニットは、前記第２油圧移動ユニットの前記油圧移動量αを調整する比例積分コントローラ（ＰＩコントローラ）を有し、
前記ＰＩコントローラは、αを制御変数として用い、前記ＰＩコントローラは、低減されたトルクＴ'ｒｅｑ＝Ｔｒｅｑ−δを、関係式α~Ｔ'ｒｅｑ／△ｐに従った所望の値として用い、
δは正の摂動パラメータであり、△ｐは測定された油圧システム圧力である、
請求項１から３のいずれか１項に記載の直列油圧ハイブリッドシステム。
【請求項５】
前記摂動パラメータは、予め定められたマップに従った、車速、エンジン速度、前記要求されるトルクＴｒｅｑ、および測定された前記油圧システム圧力のうちの少なくとも１つの関数である、
請求項４に記載の直列油圧ハイブリッドシステム。
【請求項６】
複数の前記油圧蓄圧器は、前記油圧回路に流体連結され、前記蓄圧器圧力は、前記ターゲットシステム圧力より高く、前記制御ユニットは、燃料消費量を低減するべくエンジン速度を低減するように適合される、
請求項１から５のいずれか１項に記載の直列油圧ハイブリッドシステム。
【請求項７】
前記第２油圧移動ユニットは、可変油圧容量部を有し、
前記制御ユニットは、前記要求されるトルクを提供すべく、前記第２油圧移動ユニットの前記油圧移動を調整するように適合される、
請求項６に記載の直列油圧ハイブリッドシステム。
【請求項８】
複数の前記油圧蓄圧器が前記油圧回路と流体連結され、前記蓄圧器圧力が前記ターゲットシステム圧力と等しいまたは未満である場合、前記制御ユニットは、前記蓄圧器圧力が前記ターゲットシステム圧力に少なくとも維持されるようにエンジン速度を増加させるのに必要な燃料消費量を計算するよう適合され、
前記制御ユニットは、前記計算された燃料消費量に基づいて、複数の前記油圧蓄圧器を前記油圧回路から切り離すように、または前記エンジン速度を増加させるように適合される、
請求項１から７のいずれか１項に記載の直列油圧ハイブリッドシステム。
【請求項９】
複数の前記油圧蓄圧器が前記油圧回路に流体連結される場合に、前記蓄圧器圧力が上限圧力より高い、前記蓄圧器圧力が下限圧力より低い、および前記蓄圧器圧力が前記要求されるトルクを提供するには低すぎる、という複数の条件のうちの少なくとも１つが満たされるとき、前記制御ユニットは、複数の前記油圧蓄圧器を前記油圧回路から流体的に切り離すように適合される、
請求項１から８のいずれか１項に記載の直列油圧ハイブリッドシステム。
【請求項１０】
前記第１油圧移動ユニットは可変油圧容量部を有し、
複数の前記油圧蓄圧器を前記油圧回路から流体的に切り離す前に、前記制御ユニットは、複数の前記油圧蓄圧器と前記油圧回路との間で油圧流体が流れないように、前記第１油圧移動ユニットの前記油圧移動とエンジン速度とのうちの少なくとも１つを調整するように適合される、
請求項８または９に記載の直列油圧ハイブリッドシステム。
【請求項１１】
請求項１から１０のいずれか１項に記載の直列油圧ハイブリッドシステムを制御する方法であって、
オペレータから入力を受信する段階と、
前記入力に基づいて、要求されるトルクおよびターゲットシステム圧力を計算する段階と、
蓄圧器圧力を前記ターゲットシステム圧力と比較する段階と、
前記比較の結果に基づいて、前記内燃エンジンの速度および前記少なくとも１つの蓄圧器弁の弁状態のうちの少なくとも１つを制御する段階と、を備え、
複数の前記油圧蓄圧器は、前記油圧回路から流体的に切り離され、前記蓄圧器圧力は、前記ターゲットシステム圧力より高く、複数の前記油圧蓄圧器は、前記少なくとも１つの蓄圧器弁を介して前記油圧回路と流体連結され、
複数の前記油圧蓄圧器を前記油圧回路に流体連結するプロセスの前または間に、前記油圧回路の油圧を前記蓄圧器圧力に調節するべく、前記第２油圧移動ユニットの油圧移動量が調整される、
方法。
【発明の詳細な説明】
【技術分野】
【０００１】
発明は、主に、特に自動車のための直列油圧ハイブリッドトランスミッションシステムに関する。より具体的には、発明は、システムを制御する制御ユニットを含む直列油圧ハイブリッドトランスミッションシステムと、直列油圧ハイブリッドシステムを制御する方法とに関する。
【０００２】
本明細書は、２０１４年２月４日出願の米国仮特許出願Ｎｏ．６１／９３５，５８７、および２０１４年２月４日出願の米国仮特許出願Ｎｏ．６１／９３５，６２２からの優先権を主張し、両方の全体が参照として本明細書に組み込まれる。
【０００３】
異なる複数のアプローチが、自動車における車両燃料消費量を低減すべく試みられてきた。１つのアプローチは、内燃エンジンのサイズを低減するものであった。フルサイズのエンジンと比べ、より小さい内燃エンジンはより少ない燃料を使用する。しかし、より小さなエンジンは通常、より大きなエンジンに関連する動力に欠ける。
【０００４】
したがって、複数のより小さな内燃エンジンを使用して、車両に追加の動力を提供しうる複数の装置でそれらのエンジンを補うべく、別の傾向が開発されてきた。１つの例では、１又は複数の電気モータが使用され、より小さな内燃エンジンを補う。この場合、電気モータの動力源、例えばバッテリーが、車両に乗せられる必要がある。しかし、バッテリーは重く、相当量の空間を取り、人および環境にとって維持し処理することは危険でありうる。
【０００５】
別の例では、油圧蓄圧器が、低減されたサイズの内燃エンジンにより提供される動力を補うべく使用されうる。油圧ハイブリッドシステムの燃料消費量および性能は、車両を動作させるために使用される制御方法にかなり依存する。
【０００６】
したがって、本発明の目的は、改良された車両性能及び／又は改良された燃料効率を提供する油圧ハイブリッドシステムを開発することである。
【０００７】
本目的は、請求項１の直列油圧ハイブリッドシステムにより解決される。特定の実施形態が従属項に記載される。
【０００８】
従って、車両のための直列油圧ハイブリッドシステムが提案される。当該システムは、第２油圧移動ユニットと流体連通する第１油圧移動ユニットを有する油圧回路であって、第１油圧移動ユニットは、内燃エンジンと駆動係合されまたは選択的に駆動係合される、油圧回路と、少なくとも１つの蓄圧器弁を介して油圧回路と選択的に流体連結される高圧の油圧蓄圧器および低圧の油圧蓄圧器と、制御ユニットと、を備え、制御ユニットは、オペレータからのトルクに関する要求Ｔｒｅｑを受信し、トルクに関する要求に基づいて、ターゲットシステム圧力を計算し、蓄圧器圧力をターゲットシステム圧力と比較し、比較の結果に基づいて、内燃エンジンの速度および蓄圧器弁の弁状態のうちの少なくとも１つを制御するよう適合される。
【０００９】
計算されたターゲットシステム圧力および測定された蓄圧器圧力に基づいて、およびそれら２つの比較の結果に基づいて、制御ユニットは、良好な車両性能を改良されたエネルギー効率と組み合わせるように、エンジン速度及び／又は蓄圧器弁を制御しうる。
【００１０】
本明細書の範囲内で、明確な記述「Ｘ１、...、Ｘｎのうち少なくとも１つ」は、Ｘ１、...、Ｘｎのうちの、完全なセットを含む任意のサブセットを含みうる。
【００１１】
システムは通常、オペレータがトルクに関する要求を入力する１又は複数の入力装置を有する。これらは、例えば、アクセルペダル、ハンドル、レバー、ノブ、スイッチ、タッチスクリーン、マイク、またはカメラのうち少なくとも１つを含みうる。システムはさらに、蓄圧器圧力を測定するための１又は複数の圧力センサを備えうる。圧力センサは、複数の蓄圧器のうち少なくとも１つに配置されうる。
【００１２】
第１油圧移動ユニットは、油圧ポンプを含みうる。例えば、第１油圧移動ユニットは、静油圧ラジアルピストンポンプまたは静油圧アキシャルピストンポンプなどの静油圧ポンプを含みうる。第１油圧移動ユニットは、可変油圧容量部を有しうる。例えば、第１油圧移動ユニットは、可動斜板または斜軸デザインを有しうる。
【００１３】
第２油圧移動ユニットは、１又は複数の油圧モータを含みうる。例えば、第２油圧移動ユニットは、静油圧ラジアルピストンモータまたは静油圧アキシャルピストンモータなどの静油圧モータを含みうる。第２油圧移動ユニットは、可変油圧容量部を有しうる。例えば、第２油圧移動ユニットは、可動斜板または斜軸デザインを有しうる。第２油圧移動ユニットは、通常、車両出力と駆動係合するまたは選択的に駆動係合する。車両出力は、例えば、ギアボックス、ドライブシャフト、車両の車軸、ファイナルドライブ、および１又は複数のホイールのうち少なくとも１つを含みうる。
【００１４】
ターゲットシステム圧力は、第２油圧移動ユニットにおいて、要求されるトルクを伝えることに対応しているシステム圧力である。システム圧力は、例えば、油圧回路の第１メイン流体ラインと油圧回路の第２メイン流体ラインとの油圧間の圧力差であってよい。
【００１５】
通常、第１油圧移動ユニットおよび第２油圧移動ユニットは各々、第１流体ポートおよび第２流体ポートを有する。第１メイン流体ラインは、第１油圧移動ユニットの第１流体ポートを第２油圧移動ユニットの第１流体ポートに流体連結し得、第２メイン流体ラインは、第１油圧移動ユニットの第２流体ポートを第２油圧移動ユニットの第２流体ポートに流体連結しうる。油圧回路は次に、第１および第２油圧移動ユニットと第１および第２メイン流体ラインとを含む密閉型静油圧回路でありうる。油圧回路は通常、外部環境から遮断されている。例えば、油圧回路における最小油圧は、少なくとも１０ｂａｒまたは少なくとも２０ｂａｒであってよい。
【００１６】
蓄圧器弁の弁状態を制御することは、蓄圧器弁を開位置に保持しておくこと、蓄圧器弁を閉位置に保持しておくこと、蓄圧器弁を開けて蓄圧器を油圧回路に流体連結すること、および蓄圧器弁を閉じて蓄圧器を油圧回路から流体的に切り離すことのうち少なくとも１つを含みうる。弁状態を制御することは、さらに、蓄圧器弁を開く及び／又は閉じるタイミングを制御することを含みうる。エンジン速度を制御することは、エンジン速度をその現在の速度に保持しておくこと、エンジン速度を低減すること、エンジン速度を増加させること、のうち少なくとも１つを含みうる。制御ユニットは、蓄圧器弁の現在の弁状態に基づいて、蓄圧器弁及び／又はエンジン速度を制御するように構成されうる。
【００１７】
例えば、要求されるトルクＴｒｅｑを（場合によっては、予め定められた許容差内で）提供しうるシステム圧力の複数の値のうち、ターゲットシステム圧力は、システムの伝動効率が最大値となるシステム圧力でありうる。換言すると、ターゲット圧力は、トランスミッションがトルクに関する要求の制限を考慮して最も効率的に動作されるシステム圧力でありうる。
【００１８】
ターゲットシステム圧力は、車両状態の、または高圧蓄圧器および低圧蓄圧器のうち少なくとも１つの充填状態の関数であってよい。制御ユニットはしたがって、車両状態と、複数の蓄圧器のうち少なくとも１つの充填状態とのうち少なくとも１つに基づいて、ターゲットシステム圧力を計算するよう適合されうる。車両状態は、例えば、車両の移動方向（例えば前方向または逆方向）、車速、およびギア選択のうち少なくとも１つを有しうる。システムは、速度データを制御ユニットに提供するよう適合された速度センサを有しうる。制御ユニットは、関係式Δｐｔａｒｇｅｔ＝ａ・Ｔｒｅｑ／αに従って、第２油圧移動ユニットの油圧移動量（ｄｉｓｐｌａｃｅｍｅｎｔ）αに基づいてターゲットシステム圧力を計算するよう構成されうる。ここで、ａはシステム依存定数である。
【００１９】
第２油圧移動ユニットが可変油圧容量部を有する場合、伝動効率を最大化することは、第２油圧移動ユニットの油圧移動量αを最適な値αｏｐｔにセットすることを含みうる。いくつかの場合では、αｏｐｔは、第２油圧移動ユニットの最大移動量であってよい。制御ユニットは、例えば、現在の車両状態に基づいてαｏｐｔを計算し、第２油圧移動ユニットの油圧移動量αを最適な値αｏｐｔにセットするよう構成されうる。例えば、制御ユニットは、関係式Δｐｔａｒｇｅｔ＝ａ・Ｔｒｅｑ／αｏｐｔに従って、ターゲットシステム圧力を決定するよう適合されうる。ここで、ａはシステム依存定数である。
【００２０】
制御ユニットは、油圧蓄圧器が油圧回路から流体的に切り離され、蓄圧器圧力がターゲットシステム圧力より高い場合に、蓄圧器弁を作動させて、油圧蓄圧器を油圧回路に流体連結させるよう構成されうる。この場合、蓄圧器に蓄積された油圧エネルギーは、油圧回路に伝達され得、第２油圧移動ユニットを駆動または追加的に駆動させる。
【００２１】
例えば、燃料消費量を低減するべく、制御ユニットは、油圧蓄圧器が油圧回路に流体連結され、蓄圧器圧力がターゲットシステム圧力より高い場合に、エンジン速度を低減するよう構成されうる。好ましくは、制御ユニットは次に、さらに、要求されるトルクが常に第２油圧移動ユニットにおいて提供されるように、第２油圧移動ユニットの油圧移動量αを調整するよう構成される。
【００２２】
ターゲットシステム圧力はまた、蓄圧器圧力であってよい。例えば、ターゲット圧力は、高圧蓄圧器における圧力でありうる。制御ユニットは次に、例えば油圧回路へ／から蓄圧器を連結／切断する前及び／又は間、蓄圧器弁、エンジン速度、および第１及び／又は第２油圧移動ユニットの油圧移動のうち少なくとも１つを制御し、油圧回路における油圧を蓄圧器圧力に調節するよう適合されうる。
【００２３】
例えば、制御ユニットは、油圧蓄圧器を油圧回路に流体連結するプロセスの前または間、油圧回路の油圧を蓄圧器圧力に調節するべく、第２油圧移動ユニットの油圧移動量αを調整するよう適合されうる。例えば、制御ユニットは、連結されるプロセスにおける蓄圧器と油圧回路の流体ラインとの間の最大圧力差が閾値より小さくなった後または直後にのみ、蓄圧器を油圧回路に流体連結させるために蓄圧器弁を開くよう構成されうる。これは、さもなければ連結手順の間に蓄圧器と油圧回路間の大きな圧力差によって引き起こされうる機械的ジャークを低減しうる。これは、通常、高圧蓄圧器の油圧回路への連結に関して最適である。
【００２４】
連結手順の前及び／又は間に第２油圧移動ユニットの油圧移動αを調整するために、制御ユニットは、比例積分（ＰＩ）コントローラを含みうる。ＰＩコントローラは、αを制御変数として使用しうる。さらに、ＰＩコントローラは、第２油圧移動ユニットの出力での低減されたトルクＴ'ｒｅｑ＝Ｔｒｅｑ−δを所望の値として使用しうる。例えば、連結手順の前及び／又は間にシステム圧力を蓄圧器圧力に適合させるべく、ＰＩコントローラは、関係式α＝ａ・Ｔ'ｒｅｑ／Δｐに従ってαをセットしうる。ここで、δは正の摂動パラメータであり、Δｐは測定された油圧システム圧力であり、ａはシステム固有定数である。システムは、油圧回路におけるシステム圧力Δｐを測定するための１又は複数の圧力センサを備えうる。摂動パラメータδは、車両速度、エンジン速度、要求されるトルクＴｒｅｑ、および測定される油圧システム圧力のうち少なくとも１つの関数であってよい。制御ユニットは、予め定められたマップに従ってδを選択するよう構成されうる。マップは、油圧回路の幾何学寸法又は同様のものなどのシステム固有パラメータに基づいて生成されうる。
【００２５】
複数の油圧蓄圧器が油圧回路に流体連結されている間に、蓄圧器圧力は、ターゲットシステム圧力にまでまたはより低く低下しうる。この状況では、制御ユニットは、蓄圧器圧力が少なくともターゲットシステム圧力で維持されるようにエンジン速度を増加させるのに必要な燃料消費量を計算するよう構成されうる。制御ユニットは次に、さらに、計算された燃料消費量に基づいて、蓄圧器を油圧回路から流体的に切り離す、またはエンジン速度を増加させる、のいずれかを行うように適合されうる。
【００２６】
例えば、計算された燃料消費量が、標準静油圧モードで、すなわち蓄圧器が切り離された状態でシステムを操作するために必要な燃料消費量より高い場合に、制御ユニットは、複数の蓄圧器を油圧回路から流体的に切り離すように構成されうる。一方、計算された燃料消費量が、標準静油圧モードでシステムを操作するために必要な燃料消費量より低い場合に、制御ユニットは、蓄圧器が連結された状態を維持し、エンジン速度を増加させるよう構成されうる。制御ユニットが蓄圧器が連結された状態を維持してエンジン速度を増加させる場合に、エンジン速度は、少なくともターゲットシステム圧力で蓄圧器圧力を維持するために必要とされる速度にまで増加されることが好ましい。この状況では、制御ユニットはさらに、少なくともターゲット圧力で蓄圧器圧力を維持するように第２油圧移動ユニットの油圧移動量を調整するよう構成されうる。
【００２７】
蓄圧器が油圧回路に流体連結されているとき、蓄圧器圧力が上限圧力より高い、蓄圧器圧力が下限圧力より低い、および蓄圧器圧力が要求されるトルクを提供するためには低すぎる、のうち少なくとも１つの条件が満たされる場合、制御ユニットはさらに、蓄圧器を油圧回路から流体的に切り離すように適合されうる。
【００２８】
第１油圧移動ユニットが可変油圧容量部を有する場合、切り離し手順をスムーズにして切り離し手順の間にシステムの制御性を増加させるべく、蓄圧器を油圧回路から流体的に切り離す前または直前に、制御ユニットは、第１油圧移動ユニットの油圧移動量およびエンジン速度のうち少なくとも１つを調整するよう構成されうる。例えば、制御ユニットは、油圧蓄圧器と油圧回路との間の油圧流体の流量が閾値流量より低くなるように、第１油圧移動ユニットの油圧移動量およびエンジン速度のうち少なくとも１つを調整するよう適合されうる。制御ユニットは次にさらに、油圧回路と蓄圧器との間の油圧流体の流量が閾値流量より低くなった後にのみ、蓄圧器を切り離すために蓄圧器弁を閉じるよう構成されうる。制御ユニットは、蓄圧器と油圧回路との間の測定された圧力差に基づいて、または１又は複数の流量センサを介して得られた流量測定データに基づいて、複数の蓄圧器と油圧回路との間の油圧流体の流量を決定するよう適合されうる。流量センサは、例えば、油圧回路及び／又は蓄圧器に配置されうる。
【００２９】
直列油圧ハイブリッドシステムの制御方法を提案する。方法は、好ましくは、上記説明した直列油圧ハイブリッドシステムを制御するためのものである。方法は、オペレータから入力を受信する段階と、入力に基づいて、要求されるトルクおよびターゲットシステム圧力を計算する段階と、蓄圧器圧力をターゲットシステム圧力と比較する段階と、比較の結果に基づいて、内燃エンジンの速度および蓄圧器弁の弁状態のうちの少なくとも１つを制御する段階と、を備える。
【００３０】
方法はさらに、電子制御ユニットによって実行される上記説明した段階のうちの１又は複数を備えうる。
【００３１】
現在提案したシステムおよび方法の好ましい実施形態が、以下詳細な記載において説明され、以下の添付の図面に図示される。
【図面の簡単な説明】
【００３２】
【図１】密閉形油圧回路と、油圧回路に選択的に流体連結される複数の油圧蓄圧器と、システムを制御するための電子制御ユニットとを含む直列油圧ハイブリッドシステムである。
【００３３】
【図２】図１の制御ユニットの制御アーキテクチャの概略である。
【００３４】
【図３】図１の制御ユニットにより実行される制御方法の状態フローである。
【００３５】
【図４】油圧蓄圧器の油圧回路への連結に関する状態フローである。
【００３６】
【図５】蓄圧器が油圧回路に流体連結される場合の図１の制御ユニットにより実行されるハイブリッドモード制御方法の状態フローである。
【００３７】
【図６】図１の油圧回路の複数の油圧コンポーネントの作動に関連する状態フローである。
【００３８】
【図７】油圧蓄圧器の油圧回路への連結に関連する別の状態フローである。
【００３９】
【図８】従来技術による、油圧回路へ高圧蓄圧器を流体的に連結させるプロセスの間の複数のシステムパラメータである。
【００４０】
【図９】現在請求される内容により、油圧回路へ高圧蓄圧器を流体的に連結させるプロセスの間の複数のシステムパラメータである。
【００４１】
【図１０】油圧蓄圧器の油圧回路からの切り離しに関連する状態フローである。
【００４２】
図１は、オフハイウェイ車両、例えばホイールローダに配置される直列油圧ハイブリッドシステム１を示す。システム１は、油圧モータ３に流体連通される油圧ポンプ２を含む。ポンプ２は、内燃エンジン（ＩＣＥ）４に駆動係合される。モータ３は、他方で、車両出力５に駆動係合される。車両出力５は、例えば、ドライブシャフト、ファイナルドライブ、車両の車軸、および１又は複数のホイールのうち少なくとも１つを含みうる。ポンプ２およびモータ３は各々、可変油圧容量部を有する。例えば、ポンプ２は、可動式斜板を有する静油圧アキシャルピストンポンプであってよく、モータ３は、可動式斜板を有する静油圧アキシャルピストンモータであってよい。
【００４３】
ポンプ２およびモータ３は、第１メイン流体ライン６、第２メイン流体ライン７、および出力増大ハブ８を介して互いに流体連通している。ハブ８は、複数の流体ライン、電気アクチュエータ、および蓄圧器弁１４、１５を備えるメカトロニクスユニットである。ハブ８は、ポンプ２およびモータ３を、メイン流体ライン６および７を介して流体連結または選択的に流体連結させて、密閉形静油圧回路９を形成する。
【００４４】
システム１はさらに、ハブ８に流体連結された高圧ブラダ蓄圧器１０および低圧ブラダ蓄圧器１１を含む。ハブ８の蓄圧器弁１４、１５は、蓄圧器１０および１１を静油圧回路９から流体的に切り離すこと、高圧蓄圧器１０を第１メイン流体ライン６に流体連結させ、同時に低圧蓄圧器を第２メイン流体ライン７に流体連結させ、一方、高圧蓄圧器１０を第２メイン流体ライン７から流体的に切り離し、同時に低圧蓄圧器１１を第１メイン流体ライン６から流体的に切り離すこと、高圧蓄圧器１０を第２メイン流体ライン７に流体連結させ、同時に低圧蓄圧器を第１メイン流体ライン６に流体連結させ、一方、高圧蓄圧器１０を第１メイン流体ライン６から流体的に切り離し、同時に低圧蓄圧器１１を第２メイン流体ライン７から流体的に切り離すこと、のうちの１つを選択的に行うよう構成される。
【００４５】
上記概説したように、蓄圧器１０、１１をメイン流体ライン６、７に選択的に流体連結させるべく、蓄圧器弁１４、１５のような多数の蓄圧器弁が使用されうる様々な方法があるということは、当業者は容易に理解する。蓄圧器弁１４、１５は、例えば、１又は複数の遮断弁を含みうる。これらは、電磁気力を介してまたは油圧力を介して作動されるよう構成されうる。後者の場合、蓄圧器弁１４、１５はさらに、遮断弁を操作するための１又は複数の電子的制御可能パイロット弁を含みうる。
【００４６】
システム１はさらに、電子制御ユニット１２および入力装置１３を含む。制御ユニット１２は、１又は複数のマイクロプロセッサを含みうる。入力装置１３は、アクセルペダル、ブレーキ、および多数のノブおよびレバーを含みうる。車両のオペレータは、システム１を制御するための入力命令を入力するべく、入力装置１３を使用しうる。制御ユニット１２は、入力装置１３からの入力を受信し、入力に基づいてシステム１を制御するよう構成される。具体的には、制御ユニット１は、ＩＣＥ４の速度（ｒｐｍで測定される）、ポンプ２の油圧移動量、モータ４の油圧移動量、および蓄圧器弁１４、１５の弁状態を制御するよう構成される。
【００４７】
システム１は、静油圧モードで動作されうる。静油圧モードでは、制御ユニット１２は、蓄圧器１０、１１を静油圧回路９から流体的に切り離すべく、蓄圧器弁１４、１５を作動させる。さらに、静油圧モードでは、静油圧トランスミッションの分野で周知であるように、制御ユニット１２は、機械的エネルギーが静油圧回路９を介してＩＣＥ４から車両出力５に伝達されるように、ＩＣＥ４、ポンプ２、およびモータ３を作動させうる。
【００４８】
制御ユニット１２はさらに、蓄圧器弁１４、１５を介して蓄圧器１０、１１を静油圧回路９に流体連結させることによって１又は複数のハイブリッドモードで動作するべく、システム１を制御しうる。
【００４９】
１つのハイブリッドモードでは、制御ユニットは、高圧蓄圧器１０を第１メイン流体ライン６に流体連結させ、低圧蓄圧器１１を第２メイン流体ライン７に流体連結させるべく、蓄圧器弁を作動させる。ＩＣＥ４は次に、油圧流体を低圧蓄圧器１１から高圧蓄圧器１０に移動させるべく、ポンプ２を駆動し得、それにより高圧蓄圧器１０の油圧を増加させ、低圧蓄圧器１１の油圧を低減させる（エネルギー蓄積）。
【００５０】
別のハイブリッドモードでは、モータ３が車両出力５から運動エネルギーを取り入れて、取り入れた運動エネルギーを使用して、油圧流体を低圧蓄圧器１１から高圧蓄圧器１０へ移動させるように、蓄圧器１０、１１をモータ３に流体連結させるべく、制御ユニット１２は、蓄圧器弁１４、１５を作動させてよく、それにより、高圧蓄圧器１０の油圧を増加させ、低圧蓄圧器１１の油圧を低減させる（回生制動）。制御ユニット１２は、モータ３に蓄圧器１０、１１を流体連結させて、車両の前方および後方移動の両方の間に回生制動を実行すべく、蓄圧器弁１４、１５を作動させるよう構成されうる。制御ユニット１２は、さらに、蓄圧器弁１４、１５を作動させて、回生制動の間にポンプ２をモータ３からおよび蓄圧器１０、１１から流体的に切り離すよう構成されうる。
【００５１】
別のハイブリッドモードでは、制御ユニット１４は、モータ３に蓄圧器１０、１１を流体連結させるように蓄圧器弁１４、１５を作動させ得、これにより油圧流体は、高圧蓄圧器１０から低圧蓄圧器１１へモータ３を介して移動させられてモータ３を駆動させる。それにより、高圧蓄圧器１０の油圧を低減させ、低圧蓄圧器１１の油圧を増加させる（ブースト）。
【００５２】
このように、蓄圧器１０、１１に蓄積した油圧エネルギーは、車両出力５へ伝達されて車両を駆動させうる。制御ユニットは、ブースト動作が車両の前方および後方移動の両方の間に実行されうるように、蓄圧器弁１４、１５を作動させるよう構成されうる。
【００５３】
他の電気＼油圧ハイブリッド構成のすべての一般的な利点、すなわち、エネルギーを回復し油圧回路９にそれを再投入する実現性を有する一方、直列油圧システム１において、静油圧回路９の圧力は、蓄圧器１０、１１が油圧回路９に連結される場合に蓄圧器１０、１１の圧力にさせられる。従って、直列ハイブリッドアーキテクチャは、システム圧力を制御するには既に困難であった新たな制御変数を導入する。この新たな変数を導入することにより、現在提案しているシステム１は、ＩＣＥ４により要求されるエネルギー量を低減して、駆動系の全体のトラクション性能を最適化することによって、燃料節約目的を実現することを目標とする最適な制御方法を提示する。
【００５４】
そのために、標準静油圧トランスミッション（ＳＨＴ）コントローラは、以下のタスク、すなわち、蓄圧器１０、１１の充填状態（ＳＯＣ）の最適な値を規定して監視すること、蓄圧器１０、１１の連結および切り離し条件を規定すること、ＩＣＥ４及び／又は運動エネルギー回復（回生制動）を介して蓄圧器１０、１１を充填する方法を規定すること、蓄圧器１０、１１のうちの１又は複数について連結／切り離し遷移を管理する最適な方法を規定すること、および、蓄圧器１０、１１のうちの１又は複数が油圧回路に連結されている間のエンジン４、ポンプ２、及び／又はモータ３についての最適な作動を規定すること、を実行可能になるように拡張されるべきである。
【００５５】
本明細書は、上記言及された複数の要件を満たし、ＳＨＴコントローラに対するアドオン構造として構造化されるコントローラアーキテクチャを提示する。
【００５６】
提案したコントローラアーキテクチャは図２に示される。ここで、以下において、繰り返す複数の特徴は、同一の参照符号により表される。「標準静油圧トランスミッションの制御」１２ａは、車両が非ハイブリッド（すなわち、静油圧）モードで駆動される場合に、（限定されないが、ＩＣＥ４、ポンプ２，モータ３、およびギアボックスのような）駆動系コンポーネントのための命令を提供する。換言すると、「標準静油圧トランスミッションの制御」１２ａは、ＩＣＥ４、ポンプ２、モータ３、およびギアボックスを車両状態に従ってそれぞれ制御する。車両状態は、車両方向、車速、車両ギア選択等、およびドライバーの要求からなりうる。ドライバーの要求は、車両方向、アクセルペダル位置、ブレーキペダル位置、作動油圧命令等からなりうる。
【００５７】
「ハイブリッドコントローラ」は、上記言及したＳＨＴコントローラ１２ａに対するアドオンであり、上記言及した特徴の全てを追加するＳＨＴコントローラ１２ａを拡張する「ハイブリッドスーパーバイザ」１２ｂと、ハイブリッド動作が適している場合に、ＳＨＴコントローラ１２ａからの作動を、「ハイブリッドスーパーバイザ」１２ｂからのものと置換する「作動オーバーライト」１２ｃとの、２つの部分からなる。２つの制御方法（静油圧モードとハイブリッドモード）の間の切り替えは、図３のフロー図に詳しく記載されている。
【００５８】
１６では、蓄圧器１０、１１は、油圧回路９から流体的に切り離され、制御ユニット１２は、システム１を静油圧モードで操作する。１７では、オペレータ／ドライバーは、入力装置１３を介して入力命令を入力する。例えば、１７では、オペレータは、アクセルペダルを押してよい、または、ブレーキを作動させてよい。制御ユニット１２は、入力命令を受信し、入力命令に基づいて、モータ３の出力軸で要求されるトルクＴｒｅｑを計算する。制御ユニット１２は、現在の車両状態にさらに基づいて、要求されるトルクＴｒｅｑを計算しうる。
【００５９】
さらに１７では、制御ユニット１２は、ターゲットシステム圧力を計算する。ターゲットシステム圧力または最適システム圧力は、要求されるトルクＴｒｅｑを生む圧力の範囲の中で、システム１の全体の伝動効率を最大化する圧力である。システム１の伝動効率は、それ自身が、モータ３の油圧移動量αに関連付けられうる。例えば、いくつかの場合では、システム１の伝動効率は、モータ移動量αが最大値である場合またはその最大値に近い場合に、最適でありうる。通常、静油圧モータ３の出力トルクＴは、関係式α＝ａ・Ｔ・Δｐによって表されることができる。ここで、αはモータ移動量であり、Δｐは、システム圧力（すなわち、第１メイン流体ライン６の静油圧と第２メイン流体ライン７の静油圧との間の差）であり、ａは、システム依存の実数の正の定数である。蓄圧器１０、１１が静油圧回路９に流体連結される場合にシステム圧力は蓄圧器１０、１１の圧力にさせられるため、上記言及したターゲットシステム圧力は、蓄圧器１０、１１の最適なＳＯＣとされることができる。
【００６０】
１８では、制御ユニット１２は、蓄圧器１０、１１の現在のＳＯＣを、既に計算したターゲットシステム圧力と比較する。具体的には、制御ユニット１２は、蓄圧器１０、１１間の圧力差を、油圧回路９のメイン流体ライン６、７間の圧力差と比較する。蓄圧器ＳＯＣは、１又は複数の圧力センサ（図１では不図示）を用いて測定または決定されうる。１８において、蓄圧器１０、１１の現在のＳＯＣがターゲットシステム圧力と等しいまたはより低い場合、制御ユニット１２はステップ１６に戻る。しかし、１８において、蓄圧器１０、１１の現在のＳＯＣがターゲットシステム圧力より高い場合、制御ユニット１２は１９に移る。１９では、制御ユニット１２は、蓄圧器１０、１１を密閉形静油圧回路９に流体連結させるべく、蓄圧器弁１４、１５を作動させる。
【００６１】
図４の概略図は、蓄圧器弁１４、１５に連結命令を発行する制御ユニット１２に関連する制御アーキテクチャを図示する。１７では、制御ユニット１２は、ターゲットシステム圧力または最適システム圧力を、要求されるトルクＴｒｅｑに基づいて計算する。１８では、制御ユニット１２は、連結要求／命令を発行する。連結命令は、蓄圧器弁１４、１５に命令して閉状態に保持させること、または蓄圧器弁１４、１５に命令して開かせて、蓄圧器１０、１１を油圧回路９に流体連結させることを含みうる。すなわち、１８では、制御ユニット１２は、ターゲットシステム圧力、蓄圧器１０、１１の測定したＳＯＣ、および現在の車両状態に基づいて蓄圧器弁１４、１５を制御する。
【００６２】
図３に戻ると、制御ユニット１２は、１９から２０に移る。２０では、制御ユニットは、蓄圧器弁１４、１５が開状態であり、それにより蓄圧器１０、１１と油圧回路９の間に油圧流体が流れているかを決定する。例えば、システム１は、蓄圧器弁１４、１５が完全に開くと、有線ベースのまたは無線の電磁気信号を、制御ユニット１２へ送信するよう適合される１又は複数の蓄圧器弁センサを備えうる。蓄圧器弁１４、１５が通常非ゼロ応答時間を有するため、２１に移る前に蓄圧器弁１４、１５が完全に開いているかを点検することが、通常有利である。蓄圧器弁１４、１５の特定の設計に応じて、それらの応答時間は、０．０５秒と０．２５秒との間でありうる。蓄圧器１０、１１が静油圧回路９に完全に連結されると、制御ユニット１２は２１に移る。
【００６３】
２１では、制御ユニット１２はハイブリッドモードに切り替え、２２に移る。ここで、現在蓄圧器１０、１１が油圧回路９に連結されている場合、制御ユニット１２は、オペレータからの現在の入力（１７で提供された入力と等しいまたは異なりうる）、および現在の車両状態（１７での車両状態と等しいまたは異なりうる）のうち少なくとも１つに基づいて、要求されるトルクＴｒｅｑおよびターゲットシステム圧力を再計算する。再び、ターゲットシステム圧力は、要求されるトルクＴｒｅｑを生んでいる間にシステム１が最大効率で動作されうるシステム圧力である。
【００６４】
２３では、制御ユニット１２は再び、現在の蓄圧器ＳＯＣ（１８におけるより低いものでありうる）を、２２で計算されたターゲットシステム圧力と比較する。２３において、現在の蓄圧器ＳＯＣがターゲットシステム圧力より高い場合、制御ユニット１２は、蓄圧器弁１４、１５に命令して開状態を保持させ、蓄圧器１０、１１が静油圧回路９に流体連結された状態を維持させる。しかし、２３において、現在の蓄圧器ＳＯＣがターゲットシステム圧力と等しいまたはより低い場合、制御ユニット１２は２４に移る。
【００６５】
２４では、制御ユニット１２は、第１の推定された燃料消費量（例えば、単位時間当たりで使用されるガソリンのリットルで測定される）を計算する。第１の推定された燃料消費量は、蓄圧器１０、１１が静油圧回路９に流体連結された状態を維持する間、システム圧力をターゲットシステム圧力に維持するために必要な燃料消費量である。この消費量は、蓄圧器１０、１１の現在のＳＯＣ、現在のシステム圧力、オペレータからの現在の入力、現在の車両状態というパラメータのうち少なくとも１つを入力として使用しうる。
【００６６】
さらに２４では、制御ユニット１２はさらに、第２の推定された燃料消費量（例えば、単位時間当たりで使用されるガソリンのリットルで測定される）を計算する。第２の推定された燃料消費量は、蓄圧器１０、１１が静油圧回路９から流体的に切り離された状態で、システム圧力をターゲットシステム圧力に維持するために必要な燃料消費量である。
【００６７】
さらに２４では、制御ユニット１２は、第１の推定された燃料消費量を第２の推定された燃料消費量と比較する。第１の推定された燃料消費量が第２の推定された燃料消費量と等しいまたは未満である場合、すなわち、蓄圧器１０、１１を静油圧回路９に流体連結された状態に維持することが、切り替えて静油圧モードに戻ることと少なくとも同じエネルギー効率であると、制御ユニット１２が判定した場合、制御ユニット１２は蓄圧器弁１４、１５に命令して開状態に保持させ、２１に戻る。しかし、第１の推定された燃料消費量が第２の推定された燃料消費量より大きい場合、蓄圧器１０、１１を静油圧回路９から流体的に切り離すことによってエネルギーが節約されうると、制御ユニット１２が判定した場合、制御ユニット１２は２５に移る。２５では、制御ユニット１２は、閉じるように蓄圧器弁１４、１５に命令する。
【００６８】
２６では、制御ユニットは、蓄圧器弁１４、１５が完全に閉じたかを決定する。再び、蓄圧器弁１４、１５が完全に閉じられると、蓄圧器弁センサは、有線ベースまたは無線の電磁気信号を制御ユニット１２に送信しうる。蓄圧器弁１４、１５が完全に閉じられると、制御ユニット１２は２７に移る。２７では、制御ユニット１２は、切り替えて、静油圧モードに戻る。
【００６９】
ハイブリッドモードにおいて制御ユニット１２によって実行される制御方法のさらなる詳細は、図３に関して上記説明したステップ２３、２４を参照する図５において示される。
【００７０】
ハイブリッドモードにおいて、２３ａ，２４ａ，２４ｂでは、制御ユニット１２は、蓄圧器圧力が最適なシステム圧力を追っていくように、ＩＣＥ４とポンプ２を制御する。具体的には、２３において、蓄圧器圧力が最適なシステム圧力より高いと判定される場合、制御ユニット１２は２３ａに移る。２３ａでは、制御ユニットは、内燃エンジン４に命令して、燃料消費量が低減されうるようにその速度を低減させる。同時に、制御ユニット１２はポンプ２に命令して、ポンプ移動を調節させて、減少したエンジン速度にする。これは通常、ポンプ２にポンプ移動量を低減させるように命令するという意味を含む。
【００７１】
一方、蓄圧器圧力が最適な圧力と等しいまたは未満であると２３で判定される場合、かつ第１燃料消費量が第２燃料消費量より低いと２４で判定される場合に、制御ユニット１２は２４ａに移る。２４ａでは、制御ユニット１２は、蓄圧器圧力を最適な圧力に維持すべく、内燃エンジン４に命令して、その速度を増加させる。同時に、制御ユニット１２は、ポンプ２に命令して、ポンプ移動量を調節させ、増加されたエンジン速度にする。これは通常、ポンプ２にポンプ移動量を増加させるよう命令するという意味を含む。
【００７２】
２３ａおよび２４ａから、制御ユニット１２は、２１に戻る前に２４ｂに移りうる。２４ｂでは、制御ユニット１２は、モータ３に命令して、その出力において、要求されるトルクＴｒｅｑを提供するように、その移動量αを調整させる。これは、モータ３に、その移動量をα＝Ｔｒｅｑ／（ａ・Δｐｔａｒｇｅｔ）に従って調整するよう命令することを含みうる。ここで、Δｐｔａｒｇｅｔは、２２で計算された最適なシステム圧力であり、ａは、システム依存定数である。制御ユニット１２が蓄圧器弁１４、１５、ＩＣＥ４、ポンプ２の移動、およびモータ３の移動を制御する制御方法は、図６に概説される。
【００７３】
蓄圧器１０、１１を静油圧回路９に流体連結させるプロセスの間（図３のステップ１９、２０、２１参照）、静油圧作動（エンジン速度、ポンプ移動、およびモータ移動を含む）は、蓄圧器１０、１１の過渡状態連結を適切に管理すべく変更されうる。この過渡状態の間、モータ３の出力におけるトルクのとぎれは、ドライバーがそのようなとぎれを、システム１の制御性を損ないうる機械的ジャークとして認知しうるため回避されるべきである。さらに、車両動作または性能（要求されるトルクＴｒｅｑのような）についての任意のドライバーの要求は、過渡状態の間に維持されるべきである。連結過渡状態は、図７のフロー図において示されるように扱われる。
【００７４】
１６では（図３および７参照）、システム１は静油圧モードであり、すなわち、蓄圧器１０、１１は、静油圧回路９から流体的に切り離され、制御ユニット１２はＳＨＴ制御１２ａに従って動作し（図２参照）、制御ユニット１２はアクセルペダル位置に基づいてエンジン速度を制御し、制御ユニット１２は、エンジン速度に基づいてポンプ移動を制御し、制御ユニット１２は、モータ移動とギアボックス（図１では不図示）を、車速に基づいて制御する。
【００７５】
１９（図３および７参照）では、制御ユニット１２は、蓄圧器弁１４、１５に開くように命令して、蓄圧器１０、１１を密閉形静油圧回路９に流体連結させ、制御ユニット１２は１９ａに移る。
【００７６】
１９ａでは、蓄圧器１０、１１はさらに、静油圧回路９から流体的に切り離されている。制御ユニット１２は、上記ステップ１６に関して説明したように、ＩＣＥ４、ポンプ２、およびギアボックスを制御することを継続する。しかし、１９ａでは、制御ユニット１２はモータ３に命令して、モータ移動量を調整させ、蓄圧器連結の間の油圧回路９における圧力のとぎれを防止または低減し、従って、ドライバーにより認識されるジャークを低減する。蓄圧器連結の直前及び／又は間に、静油圧回路９の油圧を蓄圧器圧力に調節するべく、モータ３の油圧移動量を調整するプロセスは、図９に示され、以下さらにより詳細に説明される。
【００７７】
１９ｂでは、制御ユニット１２は、メイン流体ライン６、７の油圧を蓄圧器１０、１１の油圧と比較する。１９ｂでは、制御ユニット１２は、少なくとも、高圧蓄圧器１０が連結されることを意図されるメイン流体ラインの油圧を、高圧蓄圧器１０の油圧と比較する。油圧回路９の油圧が蓄圧器圧力と閾値圧力差より大きく異なる間は、制御ユニットは、ステップ１９ａ、１９ｂを反復することを継続する。圧力差が閾値圧力差より低くなると、制御ユニット１２はステップ１９ｃに移る。
【００７８】
１９ｃでは、エンジン速度はアクセルペダル位置に従って制御され、ポンプ移動量はエンジン速度に従って制御され、ギアボックスは車速に従って制御される。１９ｃでは、モータ３の油圧移動量αは、１７で計算された（図３参照）出力されるトルクに関する要求Ｔｒｅｑをモータ３の出力軸において維持するように制御される。すなわち、１９ｃでは、モータ３の移動量は、α＝Ｔｒｅｑ／（ａ・Δｐ）に従って制御される。ここで、Δｐは、測定された現在のシステム圧力であり、ａは、システム依存定数である。
【００７９】
２０では、制御ユニット１２は、蓄圧器弁１４、１５が完全に開いていることを決定する（図３および７参照）。蓄圧器弁１４、１５が完全に開くまで、制御ユニット１２は、ステップ１９ｃおよび２０を繰り返す。蓄圧器弁１４、１５が完全に開くと、制御ユニット１２は、ハイブリッドモードに切り替え、図３および図５に関して上記説明されたように、ステップ２１、２２、２３、２３ａ、２４、２４ａ、２４ｂ、２５に移る。
【００８０】
図７のステップ１９ａ−ｃに関して上記説明した静油圧回路９へ蓄圧器１０、１１を流体連結させるプロセスの直前及び／又は間のモータ３の油圧移動量の調整は、ここでさらに詳細に説明される。図８は、直列油圧ハイブリッドシステムのメイン流体ラインに高圧蓄圧器を連結させる従来のプロセスの間のシステムパラメータの時系列を示す。すなわち、図８は、現在提案した制御ユニット１２を用いては実行されない蓄圧器連結プロセスの間に生じる問題を示す。
【００８１】
具体的には、図８は、高圧蓄圧器の油圧の時系列３０、高圧蓄圧器が流体連結されるメイン流体ラインの油圧の時系列３１、（例えばアクセルペダルの位置に関連付けられる）ドライバーにより要求されるトルクの時系列３２、および、静油圧モータの出力軸において提供される出力トルクの時系列３３を示す。蓄圧器弁が時間ｔ０で開いているため、ライン圧力は突然に蓄圧器圧力にまで上昇し、それにより、数ミリ秒のみの期間内に約１０倍で出力トルクの望ましくない突然の増加を引き起こすことは明確に見られうる。これは、従来の直列油圧ハイブリッドシステムにおける蓄圧器連結の間に生じる突然の機械的ジャークの問題を明確に示す。
【００８２】
一方、図９は、直列油圧ハイブリッドシステム１、特に図１のコントローラ１２を用いて実行される連結プロセスの間の対応する時系列を示す。具体的には、図９は、高圧蓄圧器１０の油圧の時系列４０、第１メイン流体ライン６の油圧の時系列４１、モータ３の油圧移動量αの時系列４２、（アクセルペダルの位置に関連付けられる）駆動から要求されるトルクの時系列４３、および、モータ３の出力軸で提供される測定される出力トルクの時系列４４を示す。
【００８３】
時間ｔ１では、アクセルペダルが押され、要求されるトルク４３の増加をもたらす。このトルクに関する要求と、測定された蓄圧器圧力４０とに基づいて、制御ユニット１２は、モータ３の移動量４２を徐々に低減させることによって、高圧蓄圧器１０を第１メイン流体ライン６へ流体連結させるプロセスを開始する。それにより、ライン圧力４１は、それが時間ｔ２で蓄圧器圧力４０に到達するまで滑らかに増加される。
【００８４】
ｔ１とｔ２との間の過渡状態の間に、制御ユニット１２は、ポンプの命令を変更されないように維持する。したがって、図９において見られうるように、モータ移動量４２の低減は、システム圧力の増加をもたらす。同様に。モータ移動量の増加は、ライン圧力４１の低減をもたらしうる。静油圧回路９の高圧ライン６が蓄圧器１０の値に到達する場合、制御ユニット１２は、弁１４、１５を作動させて、圧力のとぎれなしに、従ってドライバーにより認識される出力トルク４４のジャークなしに、蓄圧器１０、１１を連結させる。
【００８５】
具体的には、制御ユニット１２は、例えばアクセルペダルの位置に基づいてトルクに関する要求４３を計算する。制御ユニット１２は、要求されるトルク４３のエラーの予め定められたマージン内でモータ３の出力トルク４４を維持する間に、第１メイン流体ライン６のライン圧力４１を高圧蓄圧器１０の蓄圧器圧力４０に徐々に適合させるように、モータ３の油圧移動量αを調整するようプログラミングされる、比例積分（ＰＩ）コントローラを含む。
【００８６】
上記説明したように、モータ３の出力トルクＴは通常、Ｔ＝ａ／Δｐ・αとして表されうる。ここで、ａはシステム固有定数であり、Δｐは測定されたシステム圧力であり、αはモータ移動量である。制御ユニット１２は、不自然なトラッキングエラーまたは摂動δ（通常正の実数）を使用して、以下の関係式α＝Ｔｒｅｑ／（ａ・Δｐ）に従ってモータ移動量αを連続的に調整するようプログラミングされる。例えば、モータ移動量αの調整に使用されるサンプリング時間間隔は、０．０１秒より小さくてよい。摂動パラメータδの導入によって、モータ移動量αは、システム圧力４１が蓄圧器圧力４０に徐々に調節されるように調整される。摂動エラーδの大きさは、コントローラの開発における自由度である。
【００８７】
合計過渡状態時間Δｔ＝ｔ１−ｔ２（すなわち、制御ユニット１２が移動調整アルゴリズムを開始する時間ｔ１と、流体ライン６と蓄圧器１０との間の圧力差が最初に予め定められた閾値より低くなる時間ｔ２とによって定義される時間間隔）は、トラッキングエラーδとモータ応答時間とに強く依存する。容認される摂動δを増加させることによって、過渡状態の合計持続時間Δｔは減少されうる。
【００８８】
図９に示される実用化は、合計過渡状態時間Δｔが蓄圧器弁１４、１５の応答時間の順にありうるという証拠である。図９に示される例において、Δｔ＝０．３秒である。従って、制御ユニット１２は、制御ユニット１２が蓄圧器弁１４、１５に開くように命令した直後にモータ調整過渡状態を開始し得、合計過渡状態時間Δｔはさらに、蓄圧器弁１４、１５の応答時間にのみ起因する。
【００８９】
異なる制御の概略が、上記説明した移動調整アルゴリズムを実現するよう実装されうる。圧力の展開がモータ応答時間に強く影響されるため、モータ移動量に上記複数の方式を適用することは、望ましい結果をもたらさない可能性がある。なぜなら、それらは、モータ３がゼロ応答時間であるという理想で想定しているためである。手順の最終的な目的は、トルクのとぎれを回避することであるため、複数のＰＩパラメータは、ドライバーの要求を監視する品質を考察することによって選択されうる。上記述べたように、ドライバーの要求がトルク設定値として表される場合、次に、現在のＰＩ構成の品質を評価するための良好なコスト関数Ｊは、Ｊ＝β・ｒｍｓ＿ｅｒｒｏｒ＋ｙ・Ｍａｘ＿ｅｒｒｏｒでありうる。ここで、βおよびｙは、車両のタイプおよび開発における適用によって定義される調整パラメータである。過渡状態時間が速いため、提案した閉ループコントローラは、良好な調整結果のデータがテストおよび取得から利用可能になると、より容易な開ループコントローラに取り替えられうる。このように、蓄圧器の圧力センサまたは静油圧回路９のホースは除去可能である。
【００９０】
図１０は、蓄圧器１０、１１を静油圧回路９から流体的に切り離すプロセスの間に制御ユニット１２により用いられる方法を示す。
【００９１】
蓄圧器１０、１１が静油圧回路９に流体連結されると、制御ユニット１２は蓄圧器弁１４、１５に命令して、図５に関して上記説明したように、蓄圧器１０、１１の再充填要求に起因する燃料消費量が静油圧モードでの燃料消費量より大きくなるまで、または、蓄圧器１０、１１のＳＯＣが要求されるトルクＴｒｅｑを提供するには低くなりすぎるまで、開いた状態を保持させ、蓄圧器１０、１１が連結された状態を維持させる。例えば回生制動の間に蓄圧器１０、１１のＳＯＣが上限閾値圧力より高くなるとまたは高い場合、及び／又は、蓄圧器のＳＯＣが下限閾値圧力より低く低下するとまたはより低く低下した場合、制御ユニット１２はさらに、閉じるように蓄圧器弁１４、１５に命令して、蓄圧器１０、１１を静油圧回路９から切り離しうる。
【００９２】
２１では（図３および５参照）、蓄圧器１０、１１は静油圧回路９に連結される。制御ユニット１２は、ＩＣＥ４を制御して、システム圧力を、最適な圧力でまたはその近くで維持させる（図５のステップ２３ａ、２４ａ参照）。制御ユニット１２は、エンジン速度に従ってポンプ移動量を、および車速に従ってギアボックスを制御する。制御ユニット１２は、モータ３での出力トルクが１７および２２で計算された要求されるトルクＴｒｅｑを追っていくように、モータ移動量を制御する（図３および２４ｂでの図５参照）。
【００９３】
制御ユニット１２が、ステップ２５で閉じるように蓄圧器弁１４、１５に命令すると（すなわち、弁１４、１５が閉じる直前及び／又は閉じている間に）、ステップ２５ａに移る。２５ａでは、制御ユニット１２は、エンジン速度およびポンプ移動を、蓄圧器１０、１１と静油圧回路との間の油圧流体の流量が最大閾値より小さくなるように調整する。換言すると、制御ユニット１２は、ＩＣＥ４およびポンプ２に、ポンプ２を介した流量がモータ３を介した流量に一致するように命令しうる。この条件では、蓄圧器１０、１１に入るまたはから出ていく流れが無く、次にすぐに蓄圧器が回路９から切り離されることができるということが推定されうる。
【００９４】
２５ｂで、ポンプ２を介した流量がモータ３を介した流量と一致すると、制御ユニットは、ステップ２５ｃに移る。２５ｃで、制御ユニット１２は、ＩＣＥ４およびポンプ２を、ポンプ２を介した流量がモータ３を介した流量に一致するように制御することを継続する。モータ移動は、要求されるトルクを追うように調整される。制御ユニット１２が、２６で蓄圧器弁１４、１５が完全に閉じられたと決定すると、２６ａおよび２６ｂで、制御ユニット１２はＳＨＴモードに切り替える。２７で、システム１は再び静油圧モードで動作される。
【図１】
0006519883.tif 000002
【図２】
0006519883.tif 000003
【図３】
0006519883.tif 000004
【図４】
0006519883.tif 000005
【図５】
0006519883.tif 000006
【図６】
0006519883.tif 000007
【図７】
0006519883.tif 000008
【図８】
0006519883.tif 000009
【図９】
0006519883.tif 000010
【図１０】
0006519883.tif 000011